Podtech/llm-jp-corpus-v4-ja_patent huggingface dataset:
(57)【要約】【課題】従来の洋式便器では、男性小用時に意識する・しないに関わらず、必ずや少なからず跳ねが飛び散り、便器本体やトイレの床（場合によっては壁面すら）を汚し、悪臭の主な原因にもなっており、はなはだ不衛生だった。【解決手段】従前の洋式便器もしくはシャワー洗浄式暖房便座等に小型蓋付男性用水洗小便器を附置・取り付ける。上記便器は、例えば軽量であり、上下・前後・左右等に動かせることを特徴とする。【選択図】図１
2004116188.tif 000002
【特許請求の範囲】
【請求項１】
従前の洋式便器もしくはシャワー洗浄式暖房便座等に附置・取り付け、上下・前後・左右等に動かせることを特徴とする蓋付男性用水洗小便器。
【請求項２】
シャワー洗浄式暖房便座水道分岐工事のときに合わせて水道分岐をし、水道パイプは樹脂製等変形可能なものとすることにより、本体の移動をしやすくすることを特徴とする蓋付男性用水洗小便器。
【請求項３】
本体上部に下部を人差指と中指で挟み、上部ボタンを親指で押すことにより水を流すことを特徴とする蓋付男性用水洗小便器。（押釦時に便器本体が下部に移動することを防ぐため）
【発明の詳細な説明】
【０００１】
【発明の属する技術分野】
この発明は、従来の洋式便器に新たに男性用小便器の機能を容易に、しかも安価かつ省スペースで附置できることに関する。
【０００２】
【従来の技術】
従来の洋式便器の形状は、男性が用を足す場合は、図２に示すように、中蓋を上に跳ね上げ使用していた。
又、他に男性用小便器を設置する場合には、別途排水・配管工事をする必要があり、相当なスペースと費用を必要とした。
【０００３】
【発明が解決しようとする課題】
しかしながら、以上の従来技術によれば、意識する・しないに関わらず、必ずや少なからず跳ねが飛び散り、便器本体やトイレの床（場合によっては壁面すら）を汚し、悪臭の主な原因にもなっており、はなはだ不衛生だった。又、不注意により、的をはずすことによって便器本体（特に清掃しにくい中蓋の取り付け部分）やトイレの床そのものを汚してしまうこともままあり、主に掃除を担当することとなる主婦達を悩ます元凶となっていた。
用を足す男性にとっても、勢いが余った場合には跳ねが膝から下のズボンの裾を相当湿らす結果にもなり、これもはなはだ不愉快且つ不衛生である。
又、日本の住宅事情からすると、ほとんどの場合別途小便器を設置する面積的な余裕もない。
そこで、この発明は、安価で省スペースな蓋付男性用水洗小便器を提供することを課題とする。
【０００４】
【課題を解決するための手段】
以上の課題を解決するために、請求項１の発明は、従前の洋式便器もしくはシャワー洗浄式暖房便座等に附置・取り付け、上下・前後・左右等に動かせることを特徴とする蓋付男性用水洗小便器である。
また、請求項２の発明は、シャワー洗浄式暖房便座水道分岐工事のときに合わせて水道分岐をし、水道パイプは樹脂製等変形可能なものとすることにより、本体の移動をしやすくすることを特徴とする蓋付男性用水洗小便器である。
請求項３の発明は、小便器本体支えが可動式であるために、押釦時に便器本体が下部に移動することを防ぐため、本体上部に下部を人差指と中指で挟み、上部ボタンを親指で押すことにより水を流すことを特徴とする蓋付男性用水洗小便器である。
【０００５】
【発明の実施の形態】
この発明の一実施形態を、図１に示す。
蓋付男性用水洗小便器は軽量化のため、主に樹脂製とする。
（ステンレス製クランク様の支柱の場合、陶器製便器も可能）
図１では向かって右に設置してあるが、もちろん左側設置も可能。
【０００６】
「実施形態の効果」
この実施形態によれば、従前洋式便器を使用した場合の男性小便時の跳ね等による汚れ・悪臭を防ぎ、通常の家庭においても男性用小便器の新・増設が容易である。
【０００７】
「他の実施形態」
図１の実施形態では、男性用小便器本体支えの部分はステンレス製蛇腹様のものであったが、他の実施形態では、支柱はステンレス製クランク様のものでも良い。
【０００８】
【発明の効果】
以上説明したように、この発明によれば、従前の洋式便器を使用しての男性小用時の跳ねによるトイレ汚れ・悪臭を飛躍的に改善でき、衛生的かつ快適なトイレを提供できる。
【０００９】
また、一般家庭に安価で容易に蓋付男性用水洗小便器を設置できる方策を示すものとなり、日本の家庭のトイレ事情に革命をもたらすものである。
【図面の簡単な説明】
【図１】この発明の一実施形態を示す斜視図である。
【図２】従来技術を示す斜視図である。
【符号の説明】
１　洋式トイレ本体
２　シャワー洗浄式暖房便座
３　蓋付男性用水洗小便器
４　蓋付男性用水洗小便器排水部
【図１】
2004116188.tif 000003
【図２】
2004116188.tif 000004
(57)【要約】【課題】局部洗浄装置における人体センサ及びリモコン受光の各受信部を別々の窓部に配置する場合、窓部が２箇所に必要となって見映えが悪いという問題があった。【解決手段】リモコン装置の受信部及びセンサ受信部の夫々の受信窓を表面シートで覆うように成したことにある。この表面シートには前記リモコン装置の受信部及び人体センサ受信部の夫々の受信窓部に開口部が設けられている。また前記表面シートのリモコン装置の受信窓及びセンサ受信窓の開口部周辺がリモコン装置の受信窓及びセンサ受信窓と同系色であり、外観上は１つの窓のように見える。【選択図】　図１
2004116121.tif 000002
【特許請求の範囲】
【請求項１】
リモコン装置操作部の発信部及び人体検知センサの発信部から夫々発した赤外線等信号をリモコン装置の受信部及びセンサ受信部の夫々の受信窓から受信してアクチュエーターを作動させ、人体の局部洗浄のためのノズルからの洗浄水の噴出等予め定められた動作を行う局部洗浄装置において、夫々の受信窓を露出する開口を有すると共に前記リモコン装置の受信部及びセンサ受信部の夫々の受信窓を覆う表面シートを設けたことを特徴とする局部洗浄装置。
【請求項２】
前記リモコン装置の受信部と前記センサ受信部夫々の受信窓を、それと同系色の表面シートで覆うことを特徴とする請求項１に記載の局部洗浄装置。
【発明の詳細な説明】
【０００１】
【産業上の利用分野】
この発明は便器に備えられ、用を足した後に人体の局部洗浄を行う局部洗浄装置に関する。
【０００２】
【従来の技術】
便器に噴出ノズルを備え付け、用を足した後に噴出ノズルより洗浄水を噴出して局部洗浄する局部洗浄装置が広く用いられている。ところでこの種の局部洗浄装置として、図６に示すようにリモコン装置操作部の発信部１００より赤外線を信号化して発信し、これを受信部１０２で受信するとともに、人体検知センサ１０４の発信部１０５より発した別種の赤外線信号を同センサ１０４の受信部１０６で受信するようにし、而してそれら２種の赤外線信号を受信したとき、制御部１０７からの信号により電磁弁等アクチュエータ１０８を作動させて、噴出ノズル１１１（図５）からの洗浄水の噴出等必要な動作を行わせるようにしたものがある。この種形式の局部洗浄装置の場合、従来、リモコン装置の受信部１０２及び人体検知センサ１０４の受信部１０６が夫々装置本体の別々の位置に設けられ、夫々が別々の受信窓部１０９，１１０に臨んで配置されていた。よって、図４のように表面シートにリモコン装置の受信窓及び人体検知センサの受信窓夫々の開口が２箇所できる（例えば、特許文献１参照。）。
【０００３】
【特許文献１】
特開平３−７２９７８号公報
【第２頁、第４図】
【０００４】
【発明が解決しようとする課題】
しかしながらこのように各受信部を別々の窓部に配置する場合、窓部が２箇所に必要となって見映えが悪いという問題があった。
【０００５】
【課題を解決するための手段】
本発明はこのような課題を解決するためになされたものであり、而して解決手段の要旨は、リモコン装置操作部の発信部及び人体検知センサの発信部から夫々発した赤外線等信号をリモコン装置の受信部及びセンサ受信部で夫々受信してアクチュエーターを作動させ、人体の局部洗浄のためのノズルからの洗浄水の噴出等予め定められた動作を行う局部洗浄装置において、前記リモコン装置の受信部及びセンサ受信部の夫々の受信窓を表面シートで覆うように成したことにある。この表面シートには前記リモコン装置の受信部及びセンサ受信部の夫々の受信窓部に、リモコン装置から発せられた赤外線等信号を受信可能であり、人体センサからの発信受信が可能な開口部が設けられている。また前記表面シートのリモコン装置の受信窓及びセンサ受信窓の開口部周辺がリモコン装置の受信窓及びセンサ受信窓と同系色であり、リモコン装置の受信窓及びセンサ受信窓が外観上は１つの窓のように見える。
【０００６】
【発明の実施の形態】
続いて、添付した図を参照しつつ、本発明の実施形態について本発明の理解に供する。
図１は表面シートの図、図２、図３は局部洗浄装置の構成図である。リモコン装置操作部の発信部１００より赤外線を信号化して発信し、これを受信部１０２で受信するとともに、人体検知センサ１０４の発信部１０５（図３）より発した別種の赤外線信号を同センサ１０４の受信部１０６で受信するようにし、而してそれら２種の赤外線信号を受信したとき、制御部１０７からの信号により電磁弁等アクチュエータ１０８を作動させて、噴出ノズル１１１（図２）からの洗浄水の噴出等必要な動作を行わせる。リモコン装置の受信部１０２及び人体検知センサ１０４の受信部１０６が夫々装置本体の別々の位置に設けられ、夫々が別々の受信窓部１０９，１１０に臨んで配置される。そして、夫々の受信窓部をそれと同系色の表面シート（図１　９０）で覆い、リモコン装置の受信窓と人体検知センサの受信窓とを外観上一体化させ、外観を１つの窓にする。
【０００７】
【解決手段の作用及び効果】
このように本発明は、従来別々とされていたリモコン装置の受信窓と人体検知センサの受信窓とをそれと同系色の表面シートを設けるように成したものである。従来は２つの受信窓部があり見映えが悪かったが、かかる本発明によれば、リモコン装置の受信部及びセンサ受信部の夫々の受信窓をそれと同系色の表面シートで覆うことにより、受信窓部は１つに見えるので、スッキリ感があり見映えが向上する。以上本発明の実施例を記述したが、本発明はその他の形態で構成することも可能である。例えば赤外線以外の信号を発信又は受信させて装置を作動させるようにすることも可能であるなど、本発明はその主旨を逸脱しない範囲において、当業者の知識に基づき様々な変更を加えた形態で構成可能である。
【図面の簡単な説明】
【図１】本発明の実施例である表面シート（人体センサ窓とリモコン受信窓の開口及び前記夫々の窓部と同系色の部分をもつ）を示す。
【図２】本発明の実施例である局部洗浄装置の構成図。
【図３】本発明の実施例である局部洗浄装置の構成図。
【図４】従来技術の表面シート（人体センサ窓とリモコン受信窓の開口をもつ）を示す。
【図５】従来技術の局部洗浄装置の構成図。
【図６】従来技術の局部洗浄装置の構成図。
【符号の説明】
９０：表面シート（窓と同系色部）、９１：人体センサ窓部開口、９２：リモコン受信窓部開口、１００：リモコン、１０１：表面シート、１０２：リモコン受信部、１０３：ケースカバー、１０４：人体検知センサ、１０５：人体センサ発信部、１０６：人体センサ受信部、１０７：制御部、１０８：アクチュエータ、１０９：人体センサ窓、１１０：リモコン受信窓、１１１：ノズル
【図１】
2004116121.tif 000003
【図２】
2004116121.tif 000004
【図３】
2004116121.tif 000005
【図４】
2004116121.tif 000006
【図５】
2004116121.tif 000007
【図６】
2004116121.tif 000008
(57)【要約】【課題】この発明は、和紙原料となる植物を用い、和紙という概念にこだわることなく広くその素材を利用し、新規な造形を得ることのできる素材を提供することを課題とするものである。【解決手段】この発明は、和紙の原料となる植物の茎を蒸した後、表皮をはがし、次いでその繊維を広げることにより、種種の用途に使用することのでき、かつ和紙とは全く異なる素材感のあるレース状シートを得るものである。前記工程の後漂白したり、染色することもできる。前記和紙の原料となる植物とは、コウゾ、ミツマタなどが代表的であるがこれらに限られるものではない。【選択図】図１
2004162233.tif 000002
【特許請求の範囲】
【請求項１】
和紙の原料となる植物の茎を蒸した後、表皮をはがし、次いでその繊維を広げることを特徴とする、レース状シートの製造方法
【請求項２】
和紙の原料となる植物の茎を蒸した後、表皮をはがし、次いでその繊維を広げ、その後漂白することを特徴とする、レース状シートの製造方法
【請求項３】
和紙の原料となる植物の茎を蒸した後、表皮をはがし、次いでその繊維を広げ、その後漂白し、次いで染色することを特徴とする、レース状シートの製造方法
【請求項４】
請求項１ないし３の処理をした後、これを乾燥することを特徴とする、レース状シートの製造方法
【発明の詳細な説明】
【０００１】
【産業上の利用分野】
この発明は、和紙の原料となる植物からレース状のシートを得ることにより、新規なレース状素材を得、和紙原料の新規な用途を開発するものである。
【０００２】
【従来の技術】
従来、コウゾ、ミツマタその他の和紙原料となる植物は、「紙」としての和紙を製造することを目的とした処理のみが行われていた。
すなわち、和紙原料となる植物は、蒸され、表皮を葉がされた後、植物繊維は細かく砕かれ、糊を加えて和紙として梳かれていた。また、和紙原料を用いて立体的な成型を試みる提案もされているが（例えば特許第２７４２７４３号）、やはり植物繊維を細かく砕いた後に、和紙製造用の平面的なすのこに代えて立体形状の型を用いることによって、立体的な成型をしようとするものであった。
【０００３】
【発明が解決しようとする課題】
この発明は、和紙原料となる植物を用い、和紙という概念にこだわることなく広くその素材を利用し、新規な造形を得ることのできる素材を提供することを課題とするものである。
【０００４】
【課題を解決するための手段】
この発明は、以下の手段によって、種種の用途に使用することのでき、かつ和紙とは全く異なる素材感のあるレース状シートを得るものである。
請求項１の発明は、和紙の原料となる植物の茎を蒸した後、表皮をはがし、次いでその繊維を広げることを特徴とするものである。請求項２の発明は  和紙の原料となる植物の茎を蒸した後、表皮をはがし、次いでその繊維を広げ、その後漂白することを特徴とするものであり、請求項３の発明は、和紙の原料となる植物の茎を蒸した後、表皮をはがし、次いでその繊維を広げ、その後漂白し、次いで染色することを特徴とするものである。
そして、請求項４の発明は、前記請求項１ないし３の処理をした後、これを乾燥することを特徴とするものである。
前記和紙の原料となる植物とは、コウゾ、ミツマタなどが代表的であるがこれらに限られるものではない。
【０００５】
【作用】
コウゾ、ミツマタなど和紙の原料となる植物は、繊維が縦横に連なっている。そのため、蒸して表皮を葉がした後表側から丁寧にむくと、茎の中心部まで切れることなく連続してむくことができ、縦横に繊維が連結されたレース状のシートが得られる。
このシートを、水分を含んだ状態で成形することもでき、乾燥させた後に、織物繊維（編み物）のレースと同様に所望の形状に形づくることもできる。また、レース状シートは、漂白（脱色）して使用したり、漂白の後染色して使用することもできる。
【０００６】
【発明の実施の形態】
コウゾの茎を和紙を作る要領で蒸し、表皮をはがす。次いで、適宜の長さ（５ないし１０センチ程度が次工程の作業を行いやすいが、長さに限定はない）に切断する。その後表面側から丁寧に繊維をはがして繊維を広げる。先に述べたように、和紙の原料となる植物の繊維は縦横に連続し、横方向の繊維は中心部までつながっているているので、表面から丁寧に繊維をはがしていくと、中心部まで連続した一枚のシートが得られる。
このシートを縦横方向に適宜広げると、レース状のシートが得られる。
【０００７】
このレース状のシートは、そのまま使用することもできるが、漂白したり、漂白の後好みの色に染色して使用することもできる。
また、乾燥する前に成形しても、乾燥後に編み物のレースのように成形してもよい。
【０００８】
この発明で得られるレース状のシートは、乾燥前においては自由に成形することができる。例えば、このシートで帽子を得る場合は、帽子の型に乾燥前のシートを沿わせて乾燥させると、レース状シートは帽子の形となり、繊維が露出した新規な形態の帽子を得ることができる。
帽子に限ることなく、物入れ、ランプシェード、エアコン・ストーブ・パソコン・テレビ・ピアノなどのカバーなど、いずれも対応する型を用意すれば、所望の形状に成形することができ、種種の物品を得ることができる。
【０００９】
前記において得られた乾燥したレース状シートは、それを切断することにより、テーブルクロス、ランチョンマット、しおり、ブックカバーなどを得ることができる。
加えて、このシートは乾燥状態でも柔軟性があるので、ブローチやなどの身飾品、髪飾りなどの頭飾品、ブーケ、生花材料、その他編み物のレースと同様に種種の用途に使用することができる。
また、このシートは縫製することも可能である。
【００１０】
【発明の効果】
この発明によれば、従来和紙の性能のみを目的に処理されていた和紙原料のもつ繊維を、レース状に表すことができ、和紙原料特有の繊維質が表現されたレース状シートを得ることができる。そして、そのレース状シートを用いることにより種種のの物品の形状を造形することができ、新規な形態の物品を得ることができる。
【図面の簡単な説明】
【図１】この発明で得られるレース状シートの平面図
【図１】
2004162233.tif 000003
(57)【要約】【課題】エプロンの肩紐が肩からずれ落ちないように、前肩紐、ヨーク衿、後肩紐、この三つを組み合わせて一体に縫い合わせることにより、三方にそれぞれ引っ張られて肩紐がずれ落ちなくなる体に優しいハッピーエプロンを提供する。【解決手段】エプロン本体（１）の前部の２本の前肩紐（２）と後のヨーク衿（３）を連結一体とした紐に２本の後部の後肩紐（４）を縫い付ける。そしてエプロン本体（１）の中央部左右先端に２本の結び紐（５）を縫い合わせ、又ポケットを縫い合わせたことを特徴とする。【選択図】      図３
2004162238.tif 000002
【特許請求の範囲】
【請求項１】
エプロン本体（１）の前部に前肩紐（２）を設け、その前部の左右２本の前肩紐（２）に、ヨーク衿（３）を設けて連結し、一体とし、そして一体になった紐に２本の後肩紐（４）をつけ、後肩紐（４）の下側をエプロン本体（１）の後ウエストの両端の先端の上側につける、エプロン本体（１）の中央部左右先端に結び紐（５）を設けて、後部中央部で結び紐（５）を結ぶ肩紐が肩からずれ落ちない新型エプロンである。
【請求項２】
前肩紐（２）と後ヨーク衿（３）と後肩紐（４）を一緒に縫い付けて一体にし、そして三方にそれぞれ引っ張られているので肩紐は肩から落ちることがない、請求項１記載の肩紐が肩からずれ落ちない新型エプロンである。
【発明の詳細な説明】
【０００１】
【発明の属する技術分野】
この発明は、エプロンに関するものである。
【０００２】
【従来の技術】
従来、肩紐が肩からずれ落ちないように、色々と工夫された技術が知られている。（例えば、実用新案文献１参照）。
【０００３】
【実用新案文献１】
実公平７−５４２５１号公報
【０００４】
【発明が解決しようとする課題】
これは次のような欠点があった。
（イ）  ２枚の前肩紐は前身の肩紐をそのまま後ウエスト線まで伸ばし、長い紐の後の背中の真ん中あたりで、交差させたり、横紐をわたして付けてあった
（ロ）  左右とも紐が長すぎ肩あたりに止めがないため、少し前にかがむと肩紐は、たるみが度かさなるとずれ落ちることがあった。
（ハ）肩紐がずれ落ちるのを防ぐため、前の肩紐を極端に短くしたのは見苦しく、また暑苦しい。
（ニ）肩紐だけ１本を首に掛けているのをよくみかけます。夏などは汗ばむ肌にぴったりまつわり付き肩こり持ちの人は非常に嫌がります。１本の紐を首から下げて前布を支えているので、少しの重さでも重さを感じた。
本発明は、これらの欠点を除くためになされたものである。
【０００５】
【課題を解決するための手段】
エプロン本体（１）の前部の２本の前肩紐（２）と後のヨーク衿（３）を連結して、一体とした紐に２本の後部の後肩紐（４）を縫い付ける。後肩紐（４）の下側をエプロン本体（１）の後ウエストの両端の先端の上側につける、そしてエプロン本体（１）の中央部左右先端に２本の結び紐（５）を縫い付けたエプロンである。
本発明は、以上のような構成よりなる肩紐が肩からずれ落ちないエプロンである。
【０００６】
【発明の実施の形態】
以下、本発明の実施の形態について説明する。
（イ）  エプロン本体（１）の前肩紐（２）の肩線と、後ろヨーク衿（３）の肩線を合わせて縫う。
（ロ）  後ろヨーク衿（３）に印をしておいた処に後肩紐（４）の上部を合わせて縫う。
（ハ）  前胸腺の両端の上に前肩紐（２）を付けて縫う。
（ニ）  後身頃のウエスト線両端の上に後肩紐（４）の下部を付け縫う。このとき、左肩から下がってきた紐は左に付けて、右側からのは右につけ縫う。
（ホ）  後身頃のウエスト線の両端の横に結び紐（５）を付け縫う。
（ヘ）  共布があればバイヤステープをつくりエプロンの廻りに全部縫い付けて、ポケットを付けて出来上がりです。
【０００７】
【発明の効果】
前肩紐と後ろヨーク衿と後肩紐、この三つの組み合わせを縫いつなぐ事により、前明きは広く後ろの背中は交差点もなければ、横紐もなく、従って夏は衣服に押さえがないので風通りよく他のエプロンより涼しい。冬は背中の中心に押さえがなく厚着ができる。引っ張られることもないので見苦しくない。太った人でも痩せた人でも良く似合います。それでも肩からずれ落ちません。後ろにヨーク衿が付いていますので、社名も食堂名も入れられます。食堂などで待っている時、食事を運んでいる人の後姿をよくみています。又宣伝にもなります。体に優しいハッピーエプロンです。
又エプロンの上の方はそのままで、股の付け根あたりのエプロン丈にすればミニエプロンのチョット掛けにもできます。
【図面の簡単な説明】
【図１】本発明は、正面図である。
【図２】本発明は、背面図である。
【図３】本発明は、正面図と背面図を表した図である。
【図４】本発明は、裁断図である。
【符号の説明】
１  エプロン本体
２  前肩紐
３  ヨーク衿
４  後肩紐
５  結び紐
６  ポケット
【図１】
2004162238.tif 000003
【図２】
2004162238.tif 000004
【図３】
2004162238.tif 000005
【図４】
2004162238.tif 000006
(57)【要約】【課題】優れたＸ線造影性を有し、医療用具等において好適に使用できる樹脂糸を提供する。【解決手段】放射線不透過剤を含有する熱可塑剤樹脂からなる樹脂糸である。前記熱可塑剤樹脂としては、スチレン系エラストマー樹脂等が好適であり、前記放射線不透過剤としては、硫酸バリュウム、酸化ナトリウム等があり、中でも硫酸バリュウムが好ましい。また、スチレン系エラストマー樹脂に放射線不透過剤を５０〜６０％含有し、二酸化珪素を１０％含有し樹脂硬度を７０度にすることで、押出成形時のトラブルを減少する、操業性が向上する。【選択図】なし【特許請求の範囲】
【請求項１】
放射線不透過剤を含有する熱可塑性樹脂であることを特徴とするＸ線造影樹脂糸。
【請求項２】
Ｘ線不透過剤の含有量が樹脂質量の５０％以上である請求項１記載のＸ線造影樹脂糸。
【請求項３】
熱可塑性樹脂がスチレン系エラストマーである請求項１，２記載のＸ線感応樹脂。
【発明の詳細な説明】
【０００１】
【発明の属する技術分野】
この発明は、放射線不透過剤を含有する樹脂で構成され、Ｘ線造影性に優れたＸ線造影樹脂糸に関するものである。
【０００２】
【従来の技術】
従来の熱可塑性樹脂からなる樹脂糸において、熱可塑性樹脂中に機能剤を練りこむ事により各種の機能が付与されてきた。
【０００３】
しかしながら、以上の従来技術による機能性樹脂においては、Ｘ線造影性を有するものがなく、例えば、医療用途において、手術用ガーゼ等の一部に織り込み、Ｘ線透視によりガーゼを識別するために用いることができるような樹脂糸は提案されていなかった。
【０００４】
【発明が解決する課題】
本発明は、上記のような問題点を解決し、Ｘ線造影性を有し、医療用途等において好適に使用できる樹脂糸を提供することを技術的な課題とするものである。
【０００５】
【課題を解決する為の手段】
本発明者らは、上記の課題を解決するために鋭意検討した結果、本発明に到達した。すなわち、本発明は、放射線不透過剤を含有する熱可塑性樹脂からなる樹脂糸であって、Ｘ線造影樹脂糸を要旨とするものである。
【０００６】
【発明の実施の形態】
以下、本発明について詳細に説明する。本発明のＸ線造影樹脂糸を形成する熱可塑性樹脂としては、合成樹脂を得ることができるものであれば用いることができ中でもスチレン系エラストマー樹脂等が好ましく用いられる。
【０００７】
これらの熱可塑性樹脂においては、本発明の効果を損なわない範囲であれば、改質剤、顔料等の種々の添加物を添加してもよい。
【０００８】
Ｘ線造影性とは、Ｘ線を照写した際にＸ線を透過することなく遮断する性質であり、Ｘ線を照写することによりその象が映し出される特性をいう。すなわち，本発明の樹脂糸は、Ｘ線を照写することによりその存在を感知することができる。したがって、手術用ガーゼ等に織り込んでＸ線透視によりガーゼを識別することが可能となる。
【０００９】
【発明の効果】
本発明のＸ線造影樹脂は、高いＸ線造影性、十分な糸質物性を有し、手術用ガーゼ等の一部に織り込むと、Ｘ線透視によりガーゼを識別する事が可能となる。
特にスチレン系エラストマー樹脂を樹脂糸にすることによって、特有の柔らかさやシットリ感の風合を有し、患部等の皮膚に触れる衛生材料材に好適に使用することが可能となる。
(57)【要約】【課題】平面形を概略円形状にした円形病院において、病室の環境条件を良好にするような建築構造を提供することを目的としている。【解決手段】全体の平面形を概略円形状とした円形病院の建築構造において、その中心にナースステーションを設けて、このナースステーションより外周方向に向け放射状に路地状廊下を設け、この路地状廊下に沿って病室を配設し、これら病室に沿って外周面を凹ませ楔状外部空間を放射状に設けてなるものである。【選択図】          図１
2004162267.tif 000002
【特許請求の範囲】
【請求項１】
。平面形全体を略円形とした円形病院の建築構造において、その中心にナースステーションを設けて、該ナースステーションより外周方向に向け放射状に路地状廊下を設け、路地状廊下に沿って病室を配設し、これら病室に沿って外周面を凹ませ楔状外部空間を放射状に設けてなることを特徴とする円形病院の建築構造。
【請求項２】
ナースステーションは平面円形状に形成し、該ナースステーションを囲んでリング状廊下を設けてなり、リング状廊下を通って放射状に路地状廊下を設けてなることを特徴とする請求項１記載の円形病院の建築構造。
【発明の詳細な説明】
【０００１】
【産業上の利用分野】
この発明は平面形を概略円形状に計画した円形病院の建築構造に関するものである。
【０００２】
【発明が解決しようとする課題】
最近、病院の建築を行うに際して、病室はアミニティーやプライバシーを確保することが求められている。法的にも１人当たりの面積は６，４平方メートルを必要とし、１室４床以下ということになった。欧米では１床室。２床室が主流であり、我が国でも例えば矩形病棟の４床病室の廊下側２室にも小さい各自の窓を設置するななどの案も計画されてきている。
本発明は、上記現実に鑑み創案さたものである。
【０００３】
【課題を解決するための手段】
前記目的を達成するためにこの発明は、平面形全体を円形とした円形病院の建築構造において、その中心にナースステーションを設けて、このナースステーションより外周方向に向け放射状に路地状廊下を設け、路地状廊下に沿って病室を配設し、これら病室に沿って外周面凹ませ楔状外部空間を放射状に設けてなることを特徴とすものである。
【０００４】
【発明の実施の形態】
以下、図示した実施の形態例に基づいて説明する。図１において、１はナースステーションを示し、全体を円形としたプランの中心に円形状に配置されている。このナースステーション１の内部には洗濯スペース１ａ、処置スペース１ｂ、器材置場１ｃ、汚物処理スペース１ｄなどが設置されている。
【０００５】
ナースステーション１の周囲にはリング状廊下２（幅員３ｍ）が配設してあり、この廊下を起点として外周方向に向け放射状に路地状廊下３を設けてある。そしてこの路地状廊下を囲むようにその先端部及び左、右に沿ってそれぞれ病室４が配置されている。これら各病室はいずれも１床室又は２床室である。これら病室４は外周面に沿ったものとこれよりナースステーション１に寄った位置のものと、平面的に二重に配置された態様となっているものである。
【０００６】
さらに、外周面から中心方向に向け外壁面を放射状に凹ませて楔状外部空間７を形成してある。この凹状外部スペース７は中心部２に寄った病室４にが周方向の壁面が形成されるように。平面的に段構成からなる扇状のスペースとなり、外周面に配置され病室４においては、外周面と側壁部５の２面に窓６を開口することができ、また、ナースステーション寄りの病室４においても、その楔状外部空間７に沿う外壁５に窓６を開口できる。
そして、病室のさらに中心部寄りには前記リング状廊下２に面してリビング８や便所９リネン１０などを配設したものであって、全体的にはナースステーションを中心として、外周方向へ、リング状廊下２、便所９などの共用部分を配置した態様からなっているものである。
【発明の効果】
本願の発明は以上の構成からなり、人の行き来が多いリング状廊下から放射状に延設
した路地状廊下（蜘蛛の巣状に配置したクラスター廊下）を設け，この路地状廊下に沿って病室を配置してあるので、病室は静かであり、プライバシーを十分保持できるとともに、ナースステーションからの動線を短縮し、サービスの効率化が図れる。しかも、周方向に隣接する病室間を凹ませ楔状空間を設けてあるので何れの病室も２面採光が可能であり、通風も良好なものとなっている。
【図面の簡単な説明】
【図１】この発明の円形病院における各室の配設状態を示した平面図である。
【図２】この発明の主要部を示す部分平面図である。
【図３】この発明の円形病院の外観を示す斜視図である。
【符号の説明】
１・・・ナースステーション、２・・・リング状廊下、３・・・路地状廊下、４・・・病室、５・・・側壁部、６・・・窓、７・・・楔状外部空間、８・・・リビング、９・・・便所、１０・・・リネン。
【図１】
2004162267.tif 000003
【図２】
2004162267.tif 000004
【図３】
2004162267.tif 000005
(57)【要約】【目的】本発明は内燃機関に関するものである。一般発動機四行程を八行程に変換した一種の内燃発動機の機構である。［課題］  １般発動機熱効率は約３５％のみである。２：自動車排気汚染の問題。３：燃料の節省が出来る本発明は上述の欠点を改善するものである。［解決手段］八行程内燃機関、膨漲媒［空気］と燃焼目的の気体は個別吸入で行う仕組みである。【選択図】図１
2004162678.tif 000002
【特許請求の範囲】
【請求項１】
図一  燃焼シリンダ（Ｍａｓｔｅｒ  ｃｙｌｉｎｄｅｒ）と無燃焼シリンダ（Ｓｌａｖｅ  Ｃｙｌｉｎｄｅｒ）中間のＣＯＯＲＤＩＮＡＴＥバルプはエンヂン内部で交換を行う仕組の範囲。
【請求項２】
図二の表示  数組の行程内と一組燃焼の他組回転角度は約６０−１００度位遅い原理を利用し空気は燃焼組を押し入り燃焼組の熱を利用して一緒に作業を行う事が出来る方法。
【発明の詳細な説明】
【０００１】
［産業上の利用分野］
車輛、船、航空機、発電機  などの利用分野
【０００２】
［従來の技術］
従來ガソリンエンジン膨漲媒はない、燃焼用空気だけの為熱効率が悪い。
デイゼルエンジンの場合圧力が高い、膨漲媒の空気が足ると過酸化空気ＮＯＸの汚染は多大である。
【０００３】
［解決の手段］
八行程内燃機関、膨漲媒［空気］と燃焼目的の気体は個別吸入で行う仕組みである。
【０００４】
［作用］
図二  燃焼シリンダ（ＭＡＳＴＥＲ  ＣＹＬＩＮＤＥＲ）ＴＯＰの後約６０度、燃焼化合は約おわりＳＬＡＶＥ  ＣＹＬＩＮＤＥＲの空気はＣＯＯＲＤＩＮＡＴＥ  ＶＡＬＶＥの逆止作用を利用しＭＡＳＴＥＲ  ＣＹＬＩＮＤＥＲの中を押し入り混合ＭＡＳＴＥＲ  ＣＹＬＩＮＤＥＲの中熱を利用一緒に仕事がなされる。八行程の作用順序を説明する。図二：１は燃焼用吸入、回転角度は０度、２：は膨漲媒吸入、３：は燃焼用圧縮、４：膨漲媒の空気、気体圧縮、最後燃焼シリンダの中に押し入り混合、５；燃焼シリンダの仕事行程、６：ＣＯＯＲＤＩＮＡＴＥ  ＶＡＬＶＥ  ＯＰＥＮ  無燃焼シリンダの仕事行程、７：燃焼シリンダは無燃焼シリンダを排気する、８：無燃焼シリンダ排気は回転角度約５７０度で外気へ排出される。そして各行程の回転角度は９０度である。
【０００５】
［効果］
１：ＳＬＡＶＥ  ＣＹＬＩＮＤＥＲが圧縮比率は限りない、出力行程は回転角度４５０度ＣＯＯＲＤＩＮＡＴＥＶＡＬＶＥ  ＯＰＥＮが開始、一分の燃料が二回分以上の仕事効果がある。
２：燃料と空気比率は良好である為汚染の対策が出来る。
３：膨漲媒吸入調整が出来る為、熱効率が高い効果がある。
【図面の簡単な説明】
【図一】八行程エンジンの機構断面図である
【図二】八行程の作業順序である。
【符号の説明】
１は燃焼用吸入、回転角度は０度
２：は膨漲媒吸入
３：は燃焼用圧縮
４：膨漲媒の空気、気体圧縮、最後燃焼シリンダの中に押し入り混合
５：燃焼シリンダの仕事行程
６：ＣＯＯＲＤＩＮＡＴＥＶＡＬＶＥ  ＯＰＥＮ  無燃焼シリンダの仕事行程
７：燃焼シリンダは無燃焼シリンダを排気する
８：無燃焼シリンダ排気は回転角度約５７０度で外気へ排出される。
【図１】
2004162678.tif 000003
【図２】
2004162678.tif 000004
(57)【要約】      （修正有）【課題】有害な排出ガスのない空気を利用したエアーエンジンの提案。【解決手段】コンプレッサーにより一定圧一定量をタンクに貯めた高圧エアーをパイプを通じてシリンダーに強制注入。ピストンを上下にストロークさせ、クランク軸を介して回転させるエネルギーとしたエアーエンジン。シリンダーに注入するエアーは、シリンダーに一時に注入するのではなく、注入時期を順番にずらし、シリンダーの配列Ａ側Ｂ側それぞれ同時に注入しないようにする。【選択図】なし【特許請求の範囲】
【請求項１】
【発明の詳細な説明】
【０００２】
発明の属する技術分野
タンクにためた高圧エアーをパイプを通しシリンダーに強制注入
シリンダーの配列はＶ型又は水平対向とし、回転の円滑を計る
シリンダーの吸入口にはエアーの注入をコントロールするバルブをもうけ、
それぞれのバルブは油圧・エアー又は機械式として作動するようにして、エアー注入のコントロールにより出力、パワーが出るようにする。又ガバナーと連動して乱回転の防止を図り、安定した回転を得るようにする。
【０００３】
発明が解決しようとする課題
シリンダーに注入するエアーは、シリンダーに一時に注入するのではなく、注入時期を順番にずらし、シリンダーの配列Ａ側Ｂ側それぞれ同時に注入しないようにする。これは円滑な回転と騒音・振動を少なくするため
このエンジンは従来のエンジンのようにシリンダーブロックに冷却装置を必要としないため、かなりの軽量化とされてしまい、全体に重量を必要とする場合、他の部分で重量をカバーしなければならない問題がある。
【０００４】
発明の効果
低公害のエンジンである有害な排出ガスの少ない大気汚染しない地球に優しいこれからのエンジンであると同時に国民生活の安定と健康を守る招低公害エンジンである。
特に大型車両や建設機械、鉄道用ディーゼル機関車、船舶用エンジンとして使用すれば無公害エンジンとして効果は大である。
特に東京都が来年実施しようとしているディーゼル車の都内乗り入れ規制があるので、早期の実用化が望ましい。
【手続補正書】
【提出日】平成15年7月24日(2003.7.24)
【手続補正１】
【補正対象書類名】明細書
【補正対象項目名】全文
【補正方法】変更
【補正の内容】
【特許請求の範囲】
【請求項１】コンプレッサーにより一定圧一定量をタンクに貯めた高圧エアーをパイプを通じてシリンダーに強制注入。ピストンを上下にストロークさせ、クランク軸を介して回転させるエネルギーとしたエアーエンジン。コンプレッサーには一定圧一定量を保つため調圧弁サーモスタッドを装備し、常に一定圧一定量を保ちタンクに貯めておく。シリンダー注入口とパイプの間には遠隔装置出来るよう回転とパワーを得るためのバルプを装置する。バルプは油圧式又は電器式機械式とする。この時の回転と馬力は大型車両であれば、総排気量３０００ｃｃ以上、回転は２０００ｒｐｍ以上を目標とする。
【請求項２】ガバナーと連動して乱回転の防止を図り、安定した回転を得るようにする。
【請求項３】シリンダーに注入するエアーは、シリンダーに一時に注入するのではなく、注入時期を順番にずらし、シリンダーの配列Ａ側Ｂ側それぞれ同時に注入しないようにする。これは円滑な回転と騒音・振動を少なくするため
このエンジンは従来のエンジンのようにシリンダーブロックに冷却装置を必要としないため、かなりの軽量化となり、全体に重量を必要とする場合、他の部分で重量をカバーしなければならない問題がある。
【発明の詳細な説明】
【０００１】
【発明の属する技術分野】
従来のディーゼル車に搭載されているエンジンは有害物質が多く含まれ、排出されるガスが大気汚染となり、大きな社会問題となっている。本発明は、全く化石油を使用しないのでＣＯ２  ＮＯＸのでない空気エアーを利用した超無公害環境に優しいスーパーハイエコーエアーエンジンの製造方法である。
本発明は空気を利用するため、高圧コンプレッサーを使用するコンプレッサーの駆動はクランク軸と連動出来るようベルト又はギヤー等用いる。
【０００２】
【発明が解決しようとする課題】
タンク内のエアーが空になった時、外部より補給出来るようにエアー注入口を設ける。圧力計を装備し、エアーメーターを取り付け、残量が確認出来るようにしておく。エアーは常時満タンにしておくようにする。
(57)【要約】【課題】限られた空間での発電量を増やし、建設コストを削減する。【解決手段】風向に対して同一方向にあってタワーをはさんで反転する風車の軸をそれぞれ二つの軸受３で受け一方の軸端のローターに多数の磁石１を一方の軸端のローターにコイル２を取り付けて多数磁極にして、ブラシ４を通して電流を取り出して発電する構成にした。【選択図】  図１
2004162684.tif 000002
【特許請求の範囲】
【請求項１】
ひとつのタワーをはさんで前後に二つの風車を設置し多数磁極で発電する装置。
前後の反転する二つの風車の一方のローターに多数の磁石を取り付け、もう一方のローターにコイルを取り付けて多数磁極で発電しブラシを通して電力を取り出す二重風車発電装置。
【発明の詳細な説明】
【０００１】
【発明の属する技術分野】
本発明は、タワーをはさんで反転する二つの風車の一方の軸端部ローターに磁石もう一方の軸端部ローターにコイルを設け発電効率を高めるための技術に関するものである。
【０００２】
【従来の技術】
従来の風力発電機は、ひとつのタワーにひとつの風車が設置されているため限られた空間で多くの電力を得るためには風車を大型化するしかなかった。
【０００３】
【発明が解決しようとする課題】
従来の風車が多くの電力を得るためには、風車を大型化するか数を増やすしか方法はなかった。
【０００４】
従って、クリーンなエネルギーへの期待から風車の建設はより設置が厳しい所へと移っていかざるを得ない。
【０００５】
既に風車が設置されている箇所は風力発電に適した限られた場所である。
【０００６】
本発明は、従来の風力発電装置ではなし得なかった限られた空間での発電量の増加と建設コストの削減を計る。
【０００７】
【課題を解決するための手段】
上記目的を達成するために、本発明の二重風力発電装置はひとつのタワーをはさんで同一線上に二つの風車を設置しそれぞれ二つの軸受けで受ける。二つの風車の軸端のローターは一方が多数の磁石もう一方がコイルを取り付けてあり多磁極を構成する。
【０００８】
【作用】
二つのローターが反転する事により磁石とコイルの周速が相対的に増し限られた空間で大きな電力を生む。
【０００９】
【発明の実施の形態】
本発明の実施の形態について図面を参照して説明すると、タワー上部に設置される二重風力発電装置図１において、タワーをはさんで反転する二つの風車は同一線上に設置する事で風向に対して効率よく風力を受ける。二つの風車の一方の軸端部ローターに多数の磁石１もう一方の軸端部ローターにコイル２を設け、それぞれの風車の軸はそれぞれ二つの軸受３で受ける。多数磁極を構成する二つのローターは反転するため発電力を増す事ができる。このようにして生じる電流はブラシ４を通して電力とし取り出すことができる。
【００１０】
【発明の効果】
本発明は、以上に説明したように構成されているので、以下に記載されているような効果を奏する。
【００１１】
ローターが反転することで磁石とコイルの相対的な周速が増し大きな電力を生むことができる。
【００１２】
ひとつのタワーに設置するため、限られた空間を有効に活用でき、設置するコストを極端に押さえることができる。
【００１３】
従来の風力発電装置で余っていた風力を有効に利用できる。
【００１４】
既に設置された従来の風車を本発明で置き換えることにより、従来の設置箇所での同じ空間を利用して電力量をアップして発電効率を上げることができる。
もちろん、今後新たに設置される箇所においてもより多くの電力を生むことができる。
【図面の簡単な説明】
【図１】二重風車発電装置の断面図である。
【符号の説明】
１  磁石
２  コイル
３  軸受
４  ブラシ
５  ブレード
【図２】二重風車発電装置の斜視図
【図１】
2004162684.tif 000003
【図２】
2004162684.tif 000004
【手続補正書】
【提出日】平成15年1月20日(2003.1.20)
【手続補正１】
【補正対象書類名】図面
【補正対象項目名】図１
【補正方法】変更
【補正の内容】
【図１】
2004162684.tif 000005
【手続補正２】
【補正対象書類名】図面
【補正対象項目名】図２
【補正方法】変更
【補正の内容】
【図２】
2004162684.tif 000006
【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
ひとつのタワーをはさんで前後に二つの風車を設置し多数磁極で発電する装置。
前後の反転する二つの風車の一方のローターに多数の磁石を取り付け、もう一方のローターにコイルを取り付けて発電する二重風車発電装置。
【請求項２】
多数磁極で発電した電力を中空軸の中を通し、ブラシを介して取り出す請求項１に記載の二重風車発電装置。
【手続補正２】
【補正対象書類名】明細書
【補正対象項目名】０００７
【補正方法】変更
【補正の内容】
【０００７】
【課題を解決するための手段】
上記目的を達成するために、本発明の二重風車発電装置はひとつのタワーをはさんで同一線上に二つの風車を設置しそれぞれ二つの軸受けで受ける。二つの風車の軸端のローターは一方が多数の磁石もう一方がコイルを取り付けてあり多磁極を構成する。


【手続補正３】
【補正対象書類名】明細書
【補正対象項目名】０００９
【補正方法】変更
【補正の内容】
【０００９】
【発明の実施の形態】
本発明の実施の形態について図面を参照して説明すると、タワー上部に設置する二重風車発電装置図１において、タワーをはさんで反転する二つの風車は同一線上に設置する事で風向に対して効率よく風力を受ける。図面２は、二重風車発電装置全体の斜視図である。
二つの風車の一方の軸端部ローターに多数の磁石１もう一方の軸端部ローターにコイル２を設け、それぞれの風車の軸はそれぞれ二つの軸受３で受ける。多数磁極を構成する二つのローターは反転するため発電力を増すことができる。このようにして生じる電流は、中空軸の中から軸側面を経て軸と絶縁されて外へ取り出されブラシ４を通して電力とし取り出すことができる。


【手続補正４】
【補正対象書類名】明細書
【補正対象項目名】図２
【補正方法】変更
【補正の内容】
【図２】二重風車発電装置全体の斜視図である。


【手続補正５】
【補正対象書類名】図面
【補正対象項目名】図１
【補正方法】変更
【補正の内容】
【図１】
2004162684.tif 000007
(57)【要約】【課題】プーリ取付用のシートフランジの圧入工程をなくし、しかも、製造コストの減少が可能なウォータポンプ用転がり軸受ユニットを提供する。【解決手段】ウォータポンプ用転がり軸受ユニット１は、大径軸部１１および小径軸部１２を有し大径軸部１１が内輪とされる回転軸１０と、大径軸部１１に外挿された外輪１３と、大径軸部１１と外輪１３との間に配置された転動体１４，１５とを備えている。回転軸１０は、炭素鋼で形成されており、プーリ取付用のシートフランジ１６が冷鍛加工によって大径軸部１１に一体的に形成されている。シートフランジ１６に、外輪径に相当するＰ．Ｃ．Ｄ．を有する複数の圧入治具挿通用貫通孔１９が設けられている。【選択図】    図１
2004162630.tif 000002
【特許請求の範囲】
【請求項１】
大径軸部および小径軸部を有し大径軸部が内輪とされる回転軸と、大径軸部に外挿された外輪と、大径軸部と外輪との間に配置された転動体とを備えているウォータポンプ用転がり軸受ユニットにおいて、
回転軸は、炭素鋼で形成されており、プーリ取付用のシートフランジが冷鍛加工によって大径軸部に一体的に形成されていることを特徴とするウォータポンプ用転がり軸受ユニット。
【請求項２】
シートフランジに、外輪径に相当するＰ．Ｃ．Ｄ．を有する複数の圧入治具挿通用貫通孔が設けられている請求項１のウォータポンプ用転がり軸受ユニット。
【発明の詳細な説明】
【０００１】
【発明の属する技術分野】
この発明は、ウォータポンプ用転がり軸受ユニットに関する。
【０００２】
【従来の技術】
大径軸部および小径軸部を有し大径軸部が内輪とされる回転軸と、大径軸部に外挿された外輪と、大径軸部と外輪との間に配置された転動体とを備えているウォータポンプ用転がり軸受ユニットは、従来より、よく知られている（特許文献１参照）。回転軸の大径軸部には、プーリベルトが取り付けられるようになされており、このために、軸受ユニットをハウジングに圧入した後に、さらに、プーリ取付用のシートフランジが大径軸部に圧入されている。
【０００３】
【特許文献１】
実公平７−８９１４号公報
【０００４】
【発明が解決しようとする課題】
上記従来のウォータポンプ用転がり軸受ユニットでは、これをウォータポンプに取り付ける際にプーリ取付用のシートフランジの圧入工程が必要であり、この工程の合理化が課題となっている。
【０００５】
この発明の目的は、プーリ取付用のシートフランジの圧入工程をなくし、しかも、製造コストの減少が可能なウォータポンプ用転がり軸受ユニットを提供することにある。
【０００６】
【課題を解決するための手段および発明の効果】
この発明によるウォータポンプ用転がり軸受ユニットは、大径軸部および小径軸部を有し大径軸部が内輪とされる回転軸と、大径軸部に外挿された外輪と、大径軸部と外輪との間に配置された転動体とを備えているウォータポンプ用転がり軸受ユニットにおいて、回転軸は、炭素鋼で形成されており、プーリ取付用のシートフランジが冷鍛加工によって大径軸部に一体的に形成されていることを特徴とするものである。
【０００７】
炭素鋼としては、例えば、ＪＩＳ規格Ｓ５５Ｃが使用されるが、Ｓ４５Ｃ、またはＳＡＥ１０５５やＳＡＥ１０４５等でもよい。
【０００８】
この発明のウォータポンプ用転がり軸受ユニットによると、プーリ取付用のシートフランジが大径軸部に一体的に形成されているので、プーリ取付用のシートフランジの圧入工程をなくすことができる。しかも、材料が炭素鋼でかつ加工が冷鍛加工であるので、材料が高炭素クロム軸受鋼（ＪＩＳ規格ＳＵＪ−２）でかつ加工が旋削加工である従来のものに比べて、全体の加工時間および材料費を少なくすることができ、製造コストを減少することができる。
【０００９】
シートフランジに、外輪径に相当するＰ．Ｃ．Ｄ．（ピッチ円径）を有する複数の圧入治具挿通用貫通孔が設けられていることが好ましい。軸受ユニットをウォータポンプのハウジングに圧入する際、シートフランジを押すと、軸受軌道に圧痕が付くという問題があり、シートフランジの貫通孔に挿通された治具によって外輪を押して圧入することにより、この問題を解消することができる。
【００１０】
【発明の実施の形態】
この発明の実施の形態を、以下図面を参照して説明する。以下の説明において、左右は、図の左右をいうものとする。
【００１１】
図１および図２は、この発明によるウォータポンプ用転がり軸受ユニットの実施形態を示している。
【００１２】
ウォータポンプ用転がり軸受ユニット（１）は、図１に示すように、大径軸部（１１）および小径軸部（１２）を有し大径軸部（１１）が内輪とされる段付きの回転軸（１０）と、大径軸部（１１）に外挿されてハウジング（２）に固定される外輪（１３）と、大径軸部（１１）と外輪（１３）との間に配置されたころ（１４）および玉（１５）とを有している。回転軸（１０）の大径軸部側端部（外端部）には、プーリベルト（４）が取り付けられるシートフランジ（１６）が一体に形成されている。回転軸（１０）の小径軸部側端部（内端部）には、インペラ（５）が取り付けられている。小径軸部（１２）には、これとハウジング（２）との間をシールするメカニカルシール（６）が設けられている。
【００１３】
大径軸部（１１）、小径軸部（１２）およびシートフランジ（１６）からなる段付きの回転軸（１０）は、ＪＩＳ規格Ｓ５５Ｃの炭素鋼材が冷鍛加工されることにより一体的に形成されている。大径軸部（１１）のころ（１４）および玉（１５）の軌道部は高周波焼入などにより硬化処理が施されている。場合により、接触シール（２０）（２１）の摺動領域にも同様の硬化処理が施される。
【００１４】
シートフランジ（１６）には、プーリベルト（４）取付用のボルト（１７）が挿通される等間隔の４つの貫通孔（１８）に加えて、軸受ユニット（１）をハウジング（２）に圧入する際の治具の軸部を挿通するための４つの圧入治具挿通用貫通孔（１９）が等間隔で設けられている。なお、図１において、圧入治具挿通用貫通孔（１９）は、ボルト挿通用貫通孔（１８）から１３５°離れた位置にあるものを示している。圧入治具挿通用貫通孔（１９）は、外輪の内径および外径の中心径に相当するＰ．Ｃ．Ｄ．（ピッチ円径）を有しており、したがって、軸受ユニット（１）をウォータポンプのハウジング（２）に圧入する際、圧入治具の軸部をシートフランジ（１６）の圧入治具挿通用貫通孔（１９）に挿通して外輪（１３）を押して圧入することができる。
【００１５】
なお、上記の実施形態では、転動体としてころ（１４）と玉（１５）とが組み合わされて使用されているが、ころ（１４）に代えて玉としてももちろんよい。
【図面の簡単な説明】
【図１】この発明によるウォータポンプ用転がり軸受ユニットを示す縦断面図である。
【図２】ウォータポンプ用転がり軸受ユニットの回転軸を示す斜視図である。
【符号の説明】
（１）      ウォータポンプ用転がり軸受ユニット
（１０）    回転軸
（１１）    大径軸部
（１２）    小径軸部
（１３）    外輪
（１４）    転動体
（１６）    シートフランジ
【図１】
2004162630.tif 000003
【図２】
2004162630.tif 000004